(57)【要約】【課題】  電子番組表の時間軸に負の方向を設定して過去の番組情報も併せて表示し、録画済番組については、ユーザーが識別できるように表示する方法が提案されている。しかし、録画済番組が少ない場合には、録画済番組にたどり着くまで番組表をさかのぼる手間がかかるという問題があった。【解決手段】  過去の番組表を表示する際に、録画済番組が存在しない時間帯の番組表表示を省略したり、表示単位を段階的に大きくまとめたりすることにより、録画済番組にたどり着くまでのユーザーの手間を減らすことが可能な録画済番組表表示装置を提供する。【選択図】図４Ｃ
2010028619.tif 000002
【特許請求の範囲】
【請求項１】
録画済番組を番組表に識別表示する録画済番組表表示装置であって、
録画済番組を蓄積する録画済番組蓄積部と、
番組表情報を取得する番組表情報取得部と、
前記録画済番組の少なくとも放送時間情報を含む録画情報を取得する録画情報取得部と、
録画情報と番組表情報とに基づき番組表時間軸の表示情報を取得する表示情報取得部と、
取得された表示情報に基づいて録画済番組表を生成する録画済番組表生成部と、
を有する録画済番組表表示装置。
【請求項２】
表示情報取得部は、
録画情報に基づいて録画済番組の不存在時間帯を省略した番組表時間軸の表示情報を取得する省略手段を有する請求項１に記載の録画済番組表表示装置。
【請求項３】
表示情報取得部は、
番組表時間軸の過去への遡及に応じて表示単位を大きくした番組表時間軸の表示情報を取得する遡及決定手段を有する請求項１または２に記載の録画済番組表表示装置。
【請求項４】
録画済番組蓄積部は、
ネットワークを介して備えられた録画済番組を蓄積するネットワーク蓄積手段を有する請求項１から３のいずれか一に記載の録画済番組表表示装置。
【請求項５】
録画済番組蓄積部に蓄積された録画済番組を消去する消去部を有する請求項１から４のいずれか一に記載の録画済番組表表示装置。
【請求項６】
録画番組を番組表に識別表示する録画済番組表表示装置の動作方法であって、
録画済番組を蓄積する録画済番組蓄積ステップと、
番組表情報を取得する番組表情報取得ステップと、
前記録画済番組の少なくとも放送時間情報を含む録画情報を取得する録画情報取得ステップと、
録画情報と番組表情報とに基づき番組表時間軸の表示情報を取得する表示情報取得ステップと、
取得された表示情報に基づいて録画済番組表を生成する録画済番組情報生成ステップと、
を有する録画済番組表表示装置の動作方法。
【請求項７】
表示情報取得ステップは、
録画情報に基づいて録画済番組の不存在時間帯を省略した番組表時間軸の表示情報を取得する省略サブステップを有する請求項６に記載の録画済番組表表示装置の動作方法。
【請求項８】
表示情報取得ステップは、
番組表時間軸の過去への遡及に応じて表示単位を大きくした番組表時間軸の表示情報を取得する遡及決定サブステップを有する請求項６または７に記載の録画済番組表表示装置の動作方法。
【請求項９】
録画済番組蓄積ステップは、
ネットワークを介して備えられた録画済番組を蓄積するネットワーク蓄積サブステップを有する請求項６から８のいずれか一に記載の録画済番組表表示装置の動作方法。
【請求項１０】
蓄積された録画済番組を消去する消去ステップを有する請求項６から９のいずれか一に記載の録画済番組表表示装置の動作方法。
【発明の詳細な説明】
【技術分野】
【０００１】
本件発明は、録画済番組が識別表示された番組表において、録画済番組の検索に要する手間を省いた録画済番組表表示装置に関する。
【背景技術】
【０００２】
近年、テレビの放送波やインターネットを介して配信される電子番組表（ＥＰＧ：Ｅｌｅｃｔｏｒｏｎｉｃ  Ｐｒｏｇｒａｍ  Ｇｕｉｄｅ）が普及しており、電子番組表を用いて録画予約等を行うことが可能となっている。従来、録画済番組を再生視聴する場合には録画リストを閲覧して番組を選んでいた。しかし、録画容量が増大したことにより多数の番組を録画できるようになった一方で、録画された番組がいつどの放送チャンネルで放送されたものであるか容易に判断できず、番組内容の把握が困難になるという事態が生じることとなった。
【０００３】
そこで、このような問題を解決するために、特許文献１のように電子番組表を現在時刻以降のみ表示するのでなく過去についても併せて表示し、過去の番組については録画済みか否かをユーザーが識別できるように表示する方法が提案されている。
【特許文献１】特開２００６−３３７０８
【発明の開示】
【発明が解決しようとする課題】
【０００４】
しかしながら、録画された番組が少ない場合には、ブランクの表示が多くなり、録画番組にたどり着くまでに番組表をさかのぼらなくてはならず、かえって、手間が掛かってしまうという問題があった。
【課題を解決するための手段】
【０００５】
そこで、本発明では次に示す録画済番組表表示装置および録画済番組表表示装置の動作方法を提供する。すなわち第一の発明としては、録画済番組を番組表に識別表示する録画済番組表表示装置であって、録画済番組を蓄積する録画済番組蓄積部と、番組表情報を取得する番組表情報取得部と、前記録画済番組の少なくとも放送時間情報を含む録画情報を取得する録画情報取得部と、録画情報と番組表情報とに基づき番組表時間軸の表示情報を取得する表示情報取得部と、取得された表示情報に基づいて録画済番組表を生成する録画済番組表生成部とを有する録画済番組表表示装置を提供する。
【０００６】
第二の発明としては、表示情報取得部は、録画情報に基づいて録画済番組の不存在時間帯を省略した番組表時間軸の表示情報を取得する省略手段を有する第一の発明に記載の録画済番組表表示装置を提供する。
【０００７】
第三の発明としては、表示情報取得部は、番組表時間軸の過去への遡及に応じて表示単位を大きくした番組表時間軸の表示情報を取得する遡及決定手段を有する第一の発明または第二の発明に記載の録画済番組表表示装置を提供する。
【０００８】
第四の発明としては、録画済番組蓄積部は、ネットワークを介して備えられた録画済番組を蓄積するネットワーク蓄積手段を有する第一の発明から第三の発明のいずれか一に記載の録画済番組表表示装置を提供する。
【０００９】
第五の発明としては、録画済番組蓄積部に蓄積された録画済番組を消去する消去部を有する第一の発明から第四の発明のいずれか一に記載の録画済番組表表示装置を提供する。
【００１０】
第六の発明としては、録画番組を番組表に識別表示する録画済番組表表示装置の動作方法であって、録画済番組を蓄積する録画済番組蓄積ステップと、番組表情報を取得する番組表情報を取得ステップと、前記録画済番組の少なくとも放送時間情報を含む録画情報を取得する録画情報取得ステップと、録画情報と番組表情報とに基づき番組表時間軸の表示情報を取得する表示情報取得ステップと、取得された表示情報に基づいて録画済番組表を生成する録画済番組情報生成ステップとを有する録画済番組表表示装置の動作方法を提供する。
【００１１】
第七の発明としては、表示情報取得ステップは、録画情報に基づいて録画済番組の不存在時間帯を省略した番組表時間軸の表示情報を取得する省略サブステップを有する第六の発明に記載の録画済番組表表示装置の動作方法を提供する。
【００１２】
第八の発明としては、表示情報取得ステップは、番組表時間軸の過去への遡及に応じて表示単位を大きくした番組表時間軸の表示情報を取得する遡及決定サブステップを有する第六の発明または第七の発明に記載の録画済番組表表示装置の動作方法を提供する。
【００１３】
第九の発明としては、録画済番組蓄積ステップは、ネットワークを介して備えられた録画済番組を蓄積するネットワーク蓄積サブステップを有する第六の発明から第八の発明のいずれか一に記載の録画済番組表表示装置の動作方法を提供する。
【００１４】
第十の発明としては、蓄積された録画済番組を消去する消去ステップを有する第六の発明から第九の発明のいずれか一に記載の録画済番組表表示装置の動作方法を提供する。
【発明の効果】
【００１５】
本件発明により、ユーザーが過去の電子番組表から録画済番組の検索を行う際に、録画済番組にたどり着くまでに過去の電子番組表をさかのぼる手間を減らすことが可能となる。
【発明を実施するための最良の形態】
【００１６】
以下、本件発明の実施の形態について、添付図面を用いて説明する。なお、本件発明は、これらの実施形態に何ら限定されるべきものではなく、その要旨を逸脱しない範囲において、種々なる態様で実施し得る。
【００１７】
実施形態１は、主に請求項１、６について説明する。
【００１８】
実施形態２は、主に請求項２、７について説明する。
【００１９】
実施形態３は、主に請求項３、８について説明する。
【００２０】
実施形態４は、主に請求項４、９について説明する。
【００２１】
実施形態５は、主に請求項５、１０について説明する。
<実施形態１>
<実施形態１  概要>
【００２２】
本実施形態は、番組表情報と、蓄積された録画済番組の少なくとも放送時間情報を含む録画情報とに基づき番組表時間軸の表示情報を取得し、この表示情報に基づき、録画済番組を識別可能とした録画済番組表を表示することを特徴とする録画済番組表表示装置である。
<実施形態１  構成>
【００２３】
本実施形態に係る録画済番組表表示装置の機能ブロック図を図１に例示する。録画済番組表表示装置（０１００）は、「録画済番組蓄積部」（０１０１）と、「番組表情報取得部」（０１０２）と、「録画情報取得部」（０１０３）と、「表示情報取得部」（０１０４）と、「録画済番組表生成部」（０１０５）とを有する。
【００２４】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェース、周辺装置などで構成されるハードウェアと、それらハードウェア上で実行可能なソフトウェアがある。ソフトウェアとしては、メモリ上に展開されたプログラムを順次実行することで、メモリ上のデータや、インターフェースを介して入力されるデータの加工、保存、出力などにより格部の機能が実現される。さらに具体的には、図２は一般的なコンピュータの構成を例示する図であり、コンピュータが主にＣＰＵ（０２０１）、入力インターフェース（Ｉ／Ｏ）（０２０２）、ハードディスク（ＨＤＤ）（０２０３）、ＲＡＭ（０２０４）、ＲＯＭ（０２０５）等から構成されることを示しているが、本件発明に係る録画済番組表表示装置は図２と同様の構成にて実現される（明細書の全体を通じて同様である）。
【００２５】
「録画済番組蓄積部」（０１０１）は、録画済番組を蓄積する機能を有する。録画済番組蓄積部は、記録メディアとそのドライブを有している。例えば、ハードディスク（ＨＤ）、ＨＤ−ＤＶＤディスク、ＤＶＤ±ＲＷディスク、ＤＶＤ−ＲＡＭディスク、ブルーレイディスク（登録商標）等の各記録メディアとそのドライブユニットなどが挙げられる。その他、大容量化したＮＡＮＤフラッシュメモリ等も該当する。記録メディアが取り外し可能なディスクにて構成される場合には、当該ディスクは常に録画装置に挿入された状態でなくてもよい。録画済番組蓄積部は、放送された、あるいは、ネットワークを介して配信された番組を録画するとともに記録媒体を介して録画情報を有するコンテンツを蓄積してもよい。録画された番組等に付帯する情報、すなわち、放送された年月日、曜日、時間帯、チャンネルや、番組タイトル、番組の概要、出演者等の各種付帯情報もあわせて蓄積する。
【００２６】
「番組表情報取得部」（０１０２）は、番組表情報を取得する機能を有する。「番組表情報」とは、放送やインターネットを介して送信される電子番組表を構成するための情報である。電子番組表とは、いずれの番組がどのチャンネルで何月何日何時から何時まで放送されるのかを示した情報の蓄積であり、一般的には、新聞のテレビ欄のように時間軸と放送チャンネル軸とからなる一覧表形式で表されるものである。番組表情報とは、具体的には、例えば、デジタル放送波のＭＰＥＧ２のＴＳ（Ｔｒａｎｓｐｏｒｔ  Ｓｔｒｅａｍ）にて多重化されているＳＩ（Ｓｅｒｖｉｃｅ  Ｉｎｆｏｒｍａｔｉｏｎ）やアナログ放送波のＶＢＩ（Ｖｅｒｔｉｃａｌ  Ｂｌａｎｋｉｎｇ  Ｉｎｔｅｒｖａｌ）データに含まれる電子番組表データ等が該当する。番組表情報取得部は、取得し得るすべての放送ないし配信された過去の番組表情報をあらかじめ累積的に記録しておいてもよい。なお、「取得」とは、対象となる情報等を、内部取得または内部生成、あるいは、外部取得を行うことの何れか一以上を意味するものである。これは、本明細書中の全体を通じて同様である。また、番組表情報取得部は、このような処理をＣＰＵに実行させるためのプログラムを含んでいてもよい。
【００２７】
「録画済情報取得部」（０１０３）は、録画済番組蓄積部（０１０１）に蓄積された録画済番組の少なくとも放送時間情報を含む録画情報を取得する機能を有する。「録画情報」とは、前記録画済番組蓄積部に蓄積された録画済番組に付帯する情報であって、例えば、放送された年月日、曜日、時間帯、チャンネルや、番組タイトル、番組の概要、出演者等の各種情報を指す。録画済番組蓄積部に蓄積された各録画済番組の録画情報は、録画情報取得部により取得され、所定の記憶領域に格納される。図３Ａは、録画情報取得部が録画情報ＤＢというデータベースにより実現されている場合を示したものである。「録画番号」は、録画情報を一意に識別するための識別情報であり、例えば録画情報が録画済情報取得部にて取得される際に自動的に付与されるようになっていてもよい。「放送年月日」は、録画された番組が放送された年月日を示す識別情報である。「放送時間」は、録画された番組が放送された時間帯を示す。「チャンネル」は、録画された番組が放送されたチャンネルを示す。「タイトル」は、録画された番組の番組名を示す。「情報Ｉ」ないし「情報Ｚ」は、例えば、番組の概要や出演者等の各種付帯情報を示す。録画情報ＤＢが、ＸＭＬデータベースである場合には、各録画情報は図３Ｂのようになっている。録画情報取得部は、このようなデータベースのデータがＲＡＭやＨＤＤ等の所定の記憶領域に格納されることにより実現される。また、録画済情報取得部は、このような処理をＣＰＵに実行させるためのプログラムを含んでいてもよい。
【００２８】
「表示情報取得部」（０１０４）は、録画情報と番組表情報に基づき番組表時間軸の表示情報を取得する機能を有する。「番組表時間軸の表示情報」とは、録画済番組表を構成する時間軸の表示情報である。表示情報取得部は、番組表情報として蓄積された各番組が録画済番組であるかを、録画情報に基づき判断し、番組表時間軸の表示情報を取得する。例えば、録画済番組が存在する時間帯と録画済番組が存在しない時間帯とを識別表示するための表示情報等である。また、表示情報取得部は、このような処理をＣＰＵに実行させるためのプログラムを含んでいてもよい。
【００２９】
「録画済番組表生成部」（０１０５）は、表示情報取得部（０１０４）により取得された番組表時間軸の表示情報に基づいて録画済番組表を生成する機能を有する。「録画済番組表」は、録画済番組を番組表において識別表示するものであり、ユーザーは、番組表を見ることにより既に録画された番組を識別することができる。例えば、図３Ａで示した各録画情報（録画番号：００１〜００３）が、それぞれ図３ＢのようにＸＭＬ形式で存在する場合には、これらと、図４Ａで例示する番組表情報とに基づいて、図４Ｂに例示する番組表時間軸の表示情報が取得される。そして、この表示情報に基づいて録画済番組表が生成される。生成された録画済番組表は、図４Ｃのように録画済番組が存在する時間帯と録画済番組が存在しない時間帯との時間軸の表示態様に変化を加えるとともに、録画済番組の表示と録画されていない番組の表示との明暗の調子や濃淡の調子に差をつけて録画済番組が視覚的に目立つような番組表となる。また、録画済番組表生成部は、このような処理をＣＰＵに実行させるためのプログラムを含んでいてもよい。
【００３０】
録画済番組表生成部は、本録画済番組表表示装置の使用場所や使用条件の変化に伴いいずれかの放送チャンネル等において受信等ができなくなった場合には、すでに蓄積された当該放送チャンネル等における録画済番組表の情報を、当該時における番組表上にあわせて表示してもよい。例えば、放送チャンネル軸に「ＥＸＴＲＡ」の表示欄を設けて、このような録画済番組表の情報を表示してもよい。この場合の録画済番組表を図４Ｄに例示する。
<実施形態１  処理の流れ>
【００３１】
図５に本実施形態の録画済番組表表示装置の処理の流れを説明するフローチャートを例示する。ステップＳ０５０１において、録画済番組を蓄積する。ステップＳ０５０２において、番組表情報を取得する。そして、ステップＳ０５０３において、録画情報を取得する。つづいて、ステップＳ０５０４において、番組表情報と録画情報とに基づき番組表時間軸の表示情報を取得する。さらに、ステップＳ０５０５において、番組表時間軸の表示情報に基づいて録画済番組表を生成する。以上のステップにより、録画済番組表表示装置において録画済番組表が表示される。
<実施形態１  効果>
【００３２】
本実施形態の録画済番組表表示装置により、番組表において録画済番組が識別表示され、番組表を用いて録画済番組を閲覧することが容易になる。
<実施形態２>
<実施形態２  概要>
【００３３】
本実施形態は、表示情報取得部が、録画情報に基づいて録画済番組の不存在時間帯を省略した番組表時間軸の表示情報を取得する省略手段を、さらに有することを特徴とする録画済番組表表示装置である。
<実施形態２  構成>
【００３４】
本実施形態の録画済番組表表示装置は、実施形態１における表示情報取得部が、さらに、録画情報に基づいて録画済番組の不存在時間帯を省略した番組表時間軸の表示情報を取得する省略手段を有するものである。
【００３５】
本実施形態に係る録画済番組表表示装置の機能ブロック図を図６に例示する。録画済番組表表示装置（０６００）は、「録画済番組蓄積部」（０６０１）と、「番組表情報取得部」（０６０２）と、「録画情報取得部」（０６０３）と、「表示情報取得部」（０６０４）と、「録画済番組表生成部」（０６０５）とからなり、表示情報取得部（０６０４）は「省略手段」（０６０６）を有していることを特徴とする。省略手段（０６０６）以外の構成は既に説明済みであるため説明を省略する。ただし、本実施形態で用いる例において実施形態１と異なる点については説明する。
【００３６】
「省略手段」（０６０６）は、表示情報取得部（０６０４）の一機能であり、録画情報に基づいて録画済番組の不存在時間帯を省略した番組表時間軸の表示情報を取得する機能を有する。例えば、録画情報取得部（０６０３）に、図３に示した録画済番組が蓄積されている場合、録画済番組が存在する時間帯は、録画番号「００１」が存在する１２：００〜１３：００、録画番号「００２」が存在する１４：００〜１５：００、録画番号「００３」が存在する１７：００〜１８：００、の各時間帯となる。したがって、これらの各時間帯以外の時間帯が、録画済番組の不存在時間帯となる。省略手段は、この録画済番組の不存在時間帯を省略した番組表時間軸の表示情報を取得する。なお、省略された時間帯の時間軸表示および当該時間帯における番組情報等は、所定の場合に再表示されるようにしてもよい。また、録画済番組表生成部は、このような処理をＣＰＵに実行させるためのプログラムを含んでいてもよい。
【００３７】
録画済番組表生成部（０６０５）は、省略された番組表時間軸の表示情報に基づき、例えば、図７に示すような録画済番組表を生成する。録画済番組が存在しない領域については、表示を薄くして視覚的に目立たないようにしたり、あるいは、表示をしなくてもよい。また、所定の領域を選択することにより、他のコンテンツ、例えば、ＶＯＤ（Ｖｉｄｅｏ  Ｏｎ  Ｄｅｍａｎｄ）の視聴等ができるようにしてもよい。また、省略手段は、このような処理をＣＰＵに実行させるためのプログラムを含んでいてもよい。
<実施形態２  処理の流れ>
【００３８】
図８に本実施形態の録画済番組表表示装置の処理の流れを説明するフローチャートを例示する。ステップＳ０８０１において、録画済番組を蓄積する。ステップＳ０８０２において、番組表情報を取得する。そして、ステップＳ０８０３において、録画情報を取得する。つづいて、ステップＳ０８０４において、録画済番組が存在する時間帯と存在しない時間帯とを判別する。録画済番組が存在しない時間帯は、ステップＳ０８０５において省略される。そして、ステップＳ０８０６において、録画済番組の不存在時間帯を省略した番組表時間軸の表示情報を取得する。さらに、ステップＳ０８０７において、番組表時間軸の表示情報に基づいて録画済番組表を生成する。以上のステップにより、録画済番組表表示装置において録画済番組表が表示される。
<実施形態２  効果>
【００３９】
本実施形態の録画済番組表表示装置により、ユーザーが録画済番組にたどり着くまでに番組表をさかのぼる手間を減らすことが可能となる。
<実施形態３>
<実施形態３  概要>
【００４０】
本実施形態は、表示情報取得部が、番組表時間軸の過去への遡及に応じて表示単位を大きくした番組表時間軸の表示情報を取得する遡及決定手段を、さらに有することを特徴とする録画済番組表表示装置である。
<実施形態３  構成>
【００４１】
本実施形態の録画済番組表表示装置は、実施形態１または２における表示情報取得部が、さらに番組表時間軸の過去への遡及に応じて表示単位を大きくした番組表時間軸の表示情報を取得する遡及決定手段を有するものである。
【００４２】
本実施形態に係る録画済番組表表示装置の機能ブロック図を図９に例示する。録画済番組表表示装置（０９００）は、「録画済番組蓄積部」（０９０１）と、「番組表情報取得部」（０９０２）と、「録画情報取得部」（０９０３）と、「表示情報取得部」（０９０４）と、「録画済番組表生成部」（０９０５）とからなり、表示情報取得部（０９０４）は「省略手段」（０９０６）に加えて「遡及決定手段」（０９０７）を有していることを特徴とする。図９においては、実施形態２に係る録画済番組表表示装置の構成に前記遡及決定手段（０９０７）を加えた構成を例示している。遡及決定手段（０９０７）以外の構成は既に説明済みであるため説明を省略する。ただし、本実施形態で用いる例において実施形態１または２と異なる点については説明する。
【００４３】
「遡及決定手段」（０９０７）は、表示情報取得部（０９０４）の一機能であり、番組表時間軸の過去への遡及に応じて表示単位を大きくした番組表時間軸の表示情報を取得する機能を有する。「過去への遡及」とは、番組表において、現在時刻を基準として番組表を過去へさかのぼることをいう。「表示単位」とは、番組表を構成する時間軸の表示単位であり。通常の番組表では１時間単位で表示されることが多い。遡及決定手段は、この時間軸の表示単位を「時間」→「日」→「週」→「月」のように段階的に大きくする。
【００４４】
具体例としては、各表示単位を適用する時期的範囲を定めておくことにより、過去への遡及が当該時期的範囲を超えた場合には、次の段階の表示単位を適用する。例えば、「時間」の単位を適用する時期的範囲を、現在時刻を基準とした前日以内とし、「日」の単位を適用する時期的範囲を過去一週間以内とし、「週」の単位を適用する時期的範囲を過去一月以内とする。「月」の単位も同様である。さらに、所定の時期以前の過去については「以前」としてひとまとめにする。すなわち、過去にさかのぼる程に表示単位を大きくまとめるのである。各表示単位を適用する時期的範囲は、録画済番組表表示装置にあらかじめ設定してもよいし、ユーザーが任意に設定できるようにしてもよい。また、遡及決定手段は、このような処理をＣＰＵに実行させるためのプログラムを含んでいてもよい。
【００４５】
録画済番組表生成部（０９０５）は、前記遡及決定手段（０９０７）によって過去への遡及に応じて表示単位を大きくした番組表時間軸の表示情報に基づいて録画済番組表を生成する。生成された録画済番組表の具体的表示態様を図１０および図１１に例示する。一日単位でまとめられた時間軸表示領域においては、その日に存在する録画済番組がチャンネル毎に録画された順で表示される。さらに、表示単位が、「週」、「月」、と大きくなった場合も同様である。録画済番組が存在しない領域については、実施形態２と同様であるので説明を省略する。
<実施形態３  処理の流れ>
【００４６】
図１２に本実施形態の録画済番組表表示装置の処理の流れを説明するフローチャートを例示する。ステップＳ１２０１において、録画済番組を蓄積する。ステップＳ１２０２において、番組表情報を取得する。そして、ステップＳ１２０３において、録画情報を取得する。つづいて、ステップＳ１２０４において、録画済番組が存在する時間帯と存在しない時間帯とを判別する。録画済番組が存在しない時間帯は、ステップＳ１２０５において省略される。さらに、ステップＳ１２０６において、過去への遡及が表示単位の時期的範囲内にあるかを判別する。時期的範囲内にない場合には、ステップＳ１２０７において適正な表示単位に変更する。そして、ステップＳ１２０８において、番組表情報と録画情報とに基づき番組表時間軸の表示情報を取得する。そして、ステップＳ１２０９において、番組表時間軸の表示情報に基づいて録画済番組表を生成する。以上のステップにより、録画済番組表表示装置において録画済番組表が表示される。
<実施形態３  効果>
【００４７】
本実施形態の録画済番組表表示装置により、ユーザーが録画済番組にたどり着くまでに番組表をさかのぼる手間を減らすことが可能となる。
<実施形態４>
<実施形態４  概要>
【００４８】
本実施形態は、録画済番組蓄積部が、ネットワークを介して備えられた録画済番組を蓄積するネットワーク蓄積手段を、さらに有することを特徴とする録画済番組表表示装置である。
<実施形態４  構成>
【００４９】
本実施形態の録画済番組表表示装置は、実施形態１から３のいずれかにおける録画済番組蓄積部が、さらにネットワークを介して備えられた録画済番組を蓄積するネットワーク蓄積手段を有するものである。
【００５０】
本実施形態に係る録画済番組表表示装置の機能ブロック図を図１３に例示する。録画済番組表表示装置（１３００）は、「録画済番組蓄積部」（１３０１）と、「番組表情報取得部」（１３０２）と、「録画情報取得部」（１３０３）と、「表示情報取得部」（１３０４）と、「録画済番組表生成部」（１３０５）とからなり、録画済番組蓄積部（１３０１）は「ネットワーク蓄積手段」（１３０８）とを有していることを特徴とする。図１３においては、実施形態２に係る録画済番組表表示装置の構成に前記ネットワーク蓄積手段（１３０８）を加えた構成を例示している。ネットワーク蓄積手段（１３０８）以外の構成は既に説明済みであるため説明を省略する。ただし、本実施形態で用いる例において実施形態１から３のいずれかと異なる点については説明する。
【００５１】
「ネットワーク蓄積手段」（１３０８）は、録画済番組蓄積部（１３０１）の一機能であり、ネットワークを介して備えられた録画済番組を蓄積する機能を有する。ネットワークを介して備えられた録画済番組とは、本録画済番組表表示装置と、ネットワークを介して接続されている他の装置に蓄積された録画済番組である。他の装置とは、放送された、あるいは、ネットワークを介して配信された番組を録画する機能を有する装置であって、記録メディアとそのドライブ等を有するものである。また、ネットワーク蓄積手段は、このような処理をＣＰＵに実行させるためのプログラムを含んでいてもよい。
【００５２】
録画情報取得部（１３０３）は、録画済番組の録画情報として、既に説明した放送時間帯等の情報に加えて、蓄積された録画済番組がいずれの装置に備えられものであるかの情報も取得する。本実施形態における録画情報取得部が、録画情報ＤＢというデータベースにより実現されている場合を図１４に示す。
<実施形態４  処理の流れ>
【００５３】
図１５に本実施形態の録画済番組表表示装置の処理の流れを説明するフローチャートを例示する。ステップＳ１５０１において、録画済番組を蓄積する。この録画済番組蓄積ステップにおいては、ネットワークを介して備えられた録画済番組を蓄積するステップＳ１５０２が含まれる。ステップＳ１５０３において、番組表情報を取得する。そして、ステップＳ１５０４において、録画情報を取得する。つづいて、ステップＳ１５０５において、録画済番組が存在する時間帯と存在しない時間帯とを判別する。録画済番組が存在しない時間帯は、ステップＳ１５０６において省略される。さらに、ステップＳ１５０７において、過去への遡及が表示単位の時期的範囲内にあるかを判別する。時期的範囲内にない場合には、ステップＳ１５０８において適正な表示単位に変更する。そして、ステップＳ１５０９において、番組表情報と録画情報とに基づき番組表時間軸の表示情報を取得する。そして、ステップＳ１２０９において、番組表時間軸の表示情報に基づいて録画済番組表を生成する。以上のステップにより、録画済番組表表示装置において録画済番組表が表示される。
<実施形態４  効果>
【００５４】
本実施形態の録画済番組表表示装置により、ネットワークを介して備えられた録画済番組の録画情報が加えられた録画済番組表が表示される。
<実施形態５>
<実施形態５  概要>
【００５５】
本実施形態は、録画済番組蓄積部に蓄積された録画済番組を消去する消去部を、さらに有することを特徴とする録画済番組表表示装置である。
<実施形態５  構成>
【００５６】
本実施形態の録画済番組表表示装置は、実施形態１から４のいずれかにおいて、録画済番組蓄積部に蓄積された録画済番組を消去する消去部を、さらに有するものである。
【００５７】
本実施形態に係る録画済番組表表示装置の機能ブロック図を図１６に例示する。録画済番組表表示装置（１６００）は、「録画済番組蓄積部」（１６０１）と、「番組表情報取得部」（１６０２）と、「録画情報取得部」（１６０３）と、「表示情報取得部」（１６０４）と、「録画済番組表生成部」（１６０５）と、さらに、「消去部」（１６０９）とからなることを特徴とする。また、録画済番組蓄積部（１６０１）は「ネットワーク蓄積手段」（１６０８）を有し、表示情報取得部は「省略手段」（１６０６）と「遡及決定手段」（１６０７）とを有している。消去部（１６０９）以外の構成は既に説明済みであるため説明を省略する。
【００５８】
「消去部」（１６０９）は、録画済番組蓄積部に蓄積された録画済番組を消去する機能を有する。具体的には、消去部は、ユーザーが消去の対象となる録画済番組を選択するための入力インターフェースにより実現される。例えば、電子番組表に表示された録画済番組を、リモコンの方向キー等を用いて選択し、消去ボタン等を押下することにより録画済番組の消去を行う。録画済番組の消去は、録画済番組表の再生成のトリガとなる。また、消去部は、このような処理をＣＰＵに実行させるためのプログラムを含んでいてもよい。
<実施形態５  処理の流れ>
【００５９】
図１７に本実施形態の録画済番組表表示装置の処理の流れを説明するフローチャートを例示する。ステップＳ１７０１において、録画済番組を蓄積する。この録画済番組蓄積ステップにおいては、ネットワークを介して備えられた録画済番組を蓄積するステップＳ１７０２が含まれる。ステップＳ１７０３において、番組表情報を取得する。そして、ステップＳ１７０４において、録画情報を取得する。つづいて、ステップＳ１７０５において、録画済番組が存在する時間帯と存在しない時間帯とを判別する。録画済番組が存在しない時間帯は、ステップＳ１７０６において省略される。さらに、ステップＳ１７０７において、過去への遡及が表示単位の時期的範囲内にあるかを判別する。時期的範囲内にない場合には、ステップＳ１７０８において適正な表示単位に変更する。そして、ステップＳ１７０９において、番組表情報と録画情報とに基づき番組表時間軸の表示情報を取得する。そして、ステップＳ１７０９において、番組表時間軸の表示情報に基づいて録画済番組表を生成する。そして、ステップＳ１７１０において、録画済番組が消去された場合には、再度ステップＳ１７０１に移行する。以上のステップにより、録画済番組表表示装置において録画済番組表が表示される。
<実施形態５  効果>
【００６０】
本実施形態の録画済番組表表示装置により、録画済番組が消去された場合に、それに応じた録画済番組表が再表示される。
【図面の簡単な説明】
【００６１】
【図１】実施形態１に係る録画済番組表表示装置の機能ブロック図
【図２】一般的なコンピュータの構成の一例図
【図３Ａ】録画情報取得部の構成の一例図
【図３Ｂ】録画情報の一例図
【図４Ａ】番組表情報の一例図
【図４Ｂ】番組表時間軸の表示情報の一例図
【図４Ｃ】実施形態１に係る録画済番組表の一例図
【図４Ｄ】実施形態１に係る録画済番組表の一例図
【図５】実施形態１に係る録画済番組表表示装置の処理の流れを示すフロー図
【図６】実施形態２に係る録画済番組表表示装置の機能ブロック図
【図７】実施形態２に係る録画済番組表の一例図
【図８】実施形態２に係る録画済番組表表示装置の処理の流れを示すフロー図
【図９】実施形態３に係る録画済番組表表示装置の機能ブロック図
【図１０】実施形態３に係る録画済番組表の一例図
【図１１】実施形態３に係る録画済番組表の一例図
【図１２】実施形態３に係る録画済番組表表示装置の処理の流れを示すフロー図
【図１３】実施形態４に係る録画済番組表表示装置の機能ブロック図
【図１４】録画情報取得部の構成の一例図
【図１５】実施形態４に係る録画済番組表表示装置の処理の流れを示すフロー図
【図１６】実施形態５に係る録画済番組表表示装置の機能ブロック図
【図１７】実施形態５に係る録画済番組表表示装置の処理の流れを示すフロー図
【符号の説明】
【００６２】
０１００    録画済番組表表示装置
０１０１    録画済番組蓄積部
０１０２    番組表情報取得部
０１０３    録画情報取得部
０１０４    表示情報取得部
０１０５    録画済番組表生成部
【図１】
2010028619.tif 000003
【図２】
2010028619.tif 000004
【図３Ａ】
2010028619.tif 000005
【図３Ｂ】
2010028619.tif 000006
【図４Ａ】
2010028619.tif 000007
【図４Ｂ】
2010028619.tif 000008
【図４Ｃ】
2010028619.tif 000009
【図４Ｄ】
2010028619.tif 000010
【図５】
2010028619.tif 000011
【図６】
2010028619.tif 000012
【図７】
2010028619.tif 000013
【図８】
2010028619.tif 000014
【図９】
2010028619.tif 000015
【図１０】
2010028619.tif 000016
【図１１】
2010028619.tif 000017
【図１２】
2010028619.tif 000018
【図１３】
2010028619.tif 000019
【図１４】
2010028619.tif 000020
【図１５】
2010028619.tif 000021
【図１６】
2010028619.tif 000022
【図１７】
2010028619.tif 000023